(57)【特許請求の範囲】
【請求項１】
装置筐体と、前記装置筐体に対して着脱自在に装着される着脱フレームと、を備える自動取引装置であって、
前記着脱フレームは、Ｌ字状の第１引掛け爪及び第２引掛け爪を有し、
前記装置筐体は、前記第１引掛け爪が挿入されて係止される第１係止穴部と、前記第２引掛け爪が挿入されて係止される第２係止穴部と、を有し、
前記第１係止穴部は、
前記第１引掛け爪が係止される係止部と、
前記係止部よりも幅が大きく形成され、前記第１引掛け爪を呼び込む呼込み部と、
前記係止部と前記呼込み部を繋げ、前記呼込み部に呼び込まれて挿入された前記第１引掛け爪を前記係止部へガイドするガイド部と、を有し、
前記第２係止穴部は、前記第２引掛け爪を呼び込む矩形穴であり、前記第１係止穴部の配置地点から、前記着脱フレームを装着する際にスライドする方向に配置され、
前記第２係止穴部の長さ方向の大きさは、前記第１係止穴部の長さ方向の大きさと同一であり、
前記第２係止穴部の幅方向の大きさは、前記第１係止穴部の前記呼込み部の幅方向の大きさと同一であること、
を特徴とする、自動取引装置。
【請求項２】
前記第１引掛け爪が前記第１係止穴部に挿入され、かつ前記第２引掛け爪が前記第２係止穴部に挿入された状態で、前記着脱フレームが前記装置筐体に対して所定方向にスライドすることにより、前記第１引掛け爪及び前記第２引掛け爪が係止され、
前記第２係止穴部は、前記所定方向において前記第１係止穴部から所定間隔離れて設けられていることを特徴とする、請求項１に記載の自動取引装置。
【請求項３】
前記第１引掛け爪及び前記第２引掛け爪は、それぞれ前記着脱フレームの長手方向の両端側に設けられ、
前記装置筐体は、前記第１係止穴部及び前記第２係止穴部を２つずつ有し、
２つの前記第１係止穴部及び前記第２係止穴部は、それぞれ前記所定方向に直交する方向に沿って設けられていることを特徴とする、請求項２に記載の自動取引装置。
【請求項４】
装置筐体と、前記装置筐体に対して着脱自在に装着される着脱フレームと、を備える自動取引装置であって、
前記着脱フレームは、Ｌ字状の第１引掛け爪及び第２引掛け爪を有し、
前記装置筐体は、前記第１引掛け爪が挿入されて係止される第１係止穴部と、前記第２引掛け爪が挿入されて係止される第２係止穴部と、を有し、
前記第１係止穴部は、
前記第１引掛け爪が係止される係止部と、
前記係止部よりも幅が大きく形成され、前記第１引掛け爪を呼び込む呼込み部と、
前記係止部と前記呼込み部を繋げ、前記呼込み部に呼び込まれて挿入された前記第１引掛け爪を前記係止部へガイドするガイド部と、
前記着脱フレームが取り外される際に、前記第１係止穴部の幅方向の中央側に前記第１引掛け爪をガイドする第２ガイド部と、
を有することを特徴とする、自動取引装置。
【請求項５】
装置筐体と、前記装置筐体に対して着脱自在に装着される着脱フレームと、を備えるフレーム着脱装置であって、
前記着脱フレームは、Ｌ字状の第１引掛け爪及び第２引掛け爪を有し、
前記装置筐体は、前記第１引掛け爪が挿入されて係止される第１係止穴部と、前記第２引掛け爪が挿入されて係止される第２係止穴部と、を有し、
前記第１係止穴部は、
前記第１引掛け爪が係止される係止部と、
前記係止部よりも幅が大きく形成され、前記第１引掛け爪を呼び込む呼込み部と、
前記係止部と前記呼込み部を繋げ、前記呼込み部に呼び込まれて挿入された前記第１引掛け爪を前記係止部へガイドするガイド部と、を有し、
前記第２係止穴部は、前記第２引掛け爪を呼び込む矩形穴であり、前記第１係止穴部の配置地点から、前記着脱フレームを装着する際にスライドする方向に配置され、
前記第２係止穴部の長さ方向の大きさは、前記第１係止穴部の長さ方向の大きさと同一であり、
前記第２係止穴部の幅方向の大きさは、前記第１係止穴部の前記呼込み部の幅方向の大きさと同一であること、
を特徴とする、フレーム着脱装置。
【発明の詳細な説明】
【技術分野】
【０００１】
本発明は、自動取引装置、及びフレーム着脱装置に関する。
【背景技術】
【０００２】
金融機関のＡＴＭ（Ａｕｔｏｍａｔｅｄ  ｔｅｌｌｅｒ  ｍａｃｈｉｎｅ）に代表される自動取引装置は、銀行等の金融機関の支店やコンビニエンスストア等の店舗に設置されている。このような自動取引装置は、顧客との間で硬貨、紙幣、通帳等を用いた取引処理を行う。
【０００３】
上記の自動取引装置は、取引処理を行うユニットを収納する装置筐体と、装置筐体に対して着脱自在に装着される着脱フレームとを有し、例えばメンテンナンス等の際に、着脱フレームの着脱が行われる。装着される着脱フレームは、装置筐体に対して位置決めして固定される。そして、着脱フレームの装置筐体に固定する手法として、例えば特許文献１に記載の固定装置がある。
【０００４】
特許文献１の固定装置では、図１１に示すように、前板７１０に固定引掛けリブ７１２を設け、基板７２０に前板固定リブ穴７２２を設け、前板取り付け時に前板固定引掛けリブ７１２を前板固定リブ穴７２２にひっかけて上下前後左右の位置決めをしてから、ビスなどで固定している。
【先行技術文献】
【特許文献】
【０００５】
【特許文献１】特開平６−２０１１５７号公報
【発明の概要】
【発明が解決しようとする課題】
【０００６】
しかし、特許文献１に記載の構成では、前板７１０の上下前後左右を位置決めするために、固定引掛けリブ７１２と前板固定リブ穴７２２を同一の大きさ・幅にする必要がある。このため、固定引掛けリブ７１２を前板リブ穴７２２にはめ込む際にピンポイントではめ込む必要があり、前板７１０の固定作業が煩わしい問題がある。
【０００７】
そこで、本発明は、上記問題に鑑みてなされたものであり、本発明の目的とするところは、着脱フレームを装置筐体に対して装着させる時の作業効率を向上できる自動取引装置、及びフレーム着脱装置を提供することにある。
【課題を解決するための手段】
【０００８】
上記課題を解決するために、本発明のある観点によれば、装置筐体と、前記装置筐体に対して着脱自在に装着される着脱フレームと、を備える自動取引装置であって、前記着脱フレームは、Ｌ字状の第１引掛け爪及び第２引掛け爪を有し、前記装置筐体は、前記第１引掛け爪が挿入されて係止される第１係止穴部と、前記第２引掛け爪が挿入されて係止される第２係止穴部と、を有し、前記第１係止穴部は、前記第１引掛け爪が係止される係止部と、前記係止部よりも幅が大きく形成され、前記第１引掛け爪を呼び込む呼込み部と、前記係止部と前記呼込み部を繋げ、前記呼込み部に呼び込まれて挿入された前記第１引掛け爪を前記係止部へガイドするガイド部と、を有することを特徴とする、自動取引装置が提供される。
【０００９】
かかる自動取引装置によれば、着脱フレームが装置筐体に装着される際に、呼込み部によって第１係止爪が挿入されやすくなる。また、挿入された第１係止爪は、ガイド部によって係止部へ向かってガイドされ、係止部に係止される。また、第１引掛け爪がガイドされる際に着脱フレームの装置筐体に対する位置も適正な位置に矯正されるので、第２引掛け爪も第２係止穴部に係止されやすくなる。この結果、第１引掛け爪及び第２引掛け爪を第１引掛け穴部及び第２引掛け穴部に対してピンポイントで挿入する必要が無いので、着脱フレームを装置筐体に装着する際の作業効率を向上させることができる。
【００１０】
また、前記第２係止穴部の穴は、前記第２引掛け爪を呼び込む矩形穴であることとしても良い。
【００１１】
また、前記第２係止穴部は、前記第２引掛け爪が係止される係止部と、前記係止部よりも幅が大きく形成され、前記第２引掛け爪を呼び込む呼込み部と、前記係止部と前記呼込み部を繋げ、前記呼込み部に呼び込まれて挿入された前記第２引掛け爪を前記係止部へガイドするガイド部と、を有することとしても良い。
【００１２】
また、前記第１係止穴部は、前記着脱フレームが取り外される際に、前記第１係止穴部の幅方向の中央側に前記第１引掛け爪をガイドする第２ガイド部を更に有することとしても良い。
【００１３】
また、前記第１引掛け爪が前記第１係止穴部に挿入され、かつ前記第２引掛け爪が前記第２係止穴部に挿入された状態で、前記着脱フレームが前記装置筐体に対して所定方向にスライドすることにより、前記第１引掛け爪及び前記第２引掛け爪が係止され、前記第２係止穴部は、前記所定方向において前記第１係止穴部から所定間隔離れて設けられていることとしても良い。
【００１４】
また、前記第１引掛け爪及び前記第２引掛け爪は、それぞれ前記着脱フレームの長手方向の両端側に設けられ、前記装置筐体は、前記第１係止穴部及び前記第２係止穴部を２つずつ有し、２つの前記第１係止穴部及び前記第２係止穴部は、それぞれ前記所定方向に直交する方向に沿って設けられていることとしても良い。
【００１５】
また、上記課題を解決するために、本発明の別の観点によれば、装置筐体と、前記装置筐体に対して着脱自在に装着される着脱フレームと、を備えるフレーム着脱装置であって、前記着脱フレームは、Ｌ字状の第１引掛け爪及び第２引掛け爪を有し、前記装置筐体は、前記第１引掛け爪が挿入されて係止される第１係止穴部と、前記第２引掛け爪が挿入されて係止される第２係止穴部と、を有し、前記第１係止穴部は、前記第１引掛け爪が係止される係止部と、前記係止部よりも幅が大きく形成され、前記第１引掛け爪を呼び込む呼込み部と、前記係止部と前記呼込み部を繋げ、前記呼込み部に呼び込まれて挿入された前記第１引掛け爪を前記係止部へガイドするガイド部と、を有することを特徴とする、フレーム着脱装置が提供される。かかるフレーム着脱装置によれば、第１引掛け爪及び第２引掛け爪を第１引掛け穴部及び第２引掛け穴部に対してピンポイントで挿入する必要が無いので、着脱フレームを装置筐体に装着する際の作業効率を向上させることができる。
【発明の効果】
【００１６】
以上説明したように本発明によれば、着脱フレームを装置筐体に対して装着させる時の作業効率を向上できる。
【図面の簡単な説明】
【００１７】
【図１】第１の実施形態に係る自動取引装置の構成を示す斜視図である。
【図２】引掛け穴部の詳細形状を説明するための図である。
【図３】着脱フレームの装着時の、引掛け爪と引掛け穴部の位置関係を示す図である。
【図４】第２の実施形態に係る自動取引装置の構成を示す斜視図である。
【図５】第２の実施形態に係る引掛け穴部と、引掛け爪との関係を示す図である。
【図６】着脱フレームの取外し時の、第１の実施形態に係る引掛け爪と引掛け穴部の位置関係を示す図である。
【図７】第３の実施形態に係る自動取引装置の構成を示す斜視図である。
【図８】第３の実施形態に係る引掛け穴部と、引掛け爪との関係を示す図である。
【図９】第４の実施形態に係る引掛け穴部と、引掛け爪との関係を示す図である。
【図１０】引掛け穴部の変形例を示す図である。
【図１１】従来例を説明するための図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．第１の実施形態＞
（１−１．自動取引装置の構成）
自動取引装置は、例えば現金自動預払機であり、銀行等の金融機関の支店やコンビニエンスストア等の店舗に設置される。自動取引装置は、顧客との間で通帳や取引カードを用いた取引処理を行う。
【００２０】
図１を参照しながら、第１の実施形態に係る自動取引装置１の構成について説明する。図１は、第１の実施形態に係る自動取引装置１の構成を示す斜視図である。なお、図１では、説明の便宜上、自動取引装置１の一部（自動取引装置１の上部）のみが示されている。
【００２１】
自動取引装置１は、フレーム着脱装置の一例であり、図１に示すように着脱フレーム１０と装置筐体５０を有する。
【００２２】
着脱フレーム１０は、装置筐体５０に対して着脱自在に装着される矩形状のフレームである。着脱フレーム１０は、所定の厚みを有し、装置筐体５０をカバーする機能を有する。着脱フレーム１０の表面１１には、様々な部品１２が実装されている。また、着脱フレーム１０は、長手方向の両側面に、Ｌ字形状の４つの引掛け爪２２、２４、２６、２８を有する。
【００２３】
引掛け爪２２、２４、２６、２８は、着脱フレーム１０を装置筐体５０に引っ掛けるためのものである。引掛け爪２２、２４は、着脱フレーム１０の長手方向一端側の側面１４から下方に延出するように形成され、引掛け爪２６、２８は、長手方向他端側の側面１６から下方に延出するように形成されている。なお、第１の実施形態においては、引掛け爪２２、２６が第１引掛け爪に該当し、引掛け爪２４、２８が第２引掛け爪に該当する。
【００２４】
また、着脱フレーム１０は、短手方向の一端側に曲げ面１８を有する。曲げ面１８において長手方向の両端側には、ネジ穴３２、３４が形成されている。ネジ穴３２、３４に対して、装置筐体５０に引っ掛けられた着脱フレーム１０を固定するためのネジ９２、９４が螺合する。
【００２５】
装置筐体５０は、自動取引装置１の取引処理を行うユニットを収納する筐体である。装置筐体５０の上方に、着脱フレーム１０が装着される。装置筐体５０の側壁５１、５２は、台形形状をしており、側壁５１、５２の斜面に沿って引掛け面５４、５６が設けられている。
【００２６】
引掛け面５４は、着脱フレーム１０の引掛け爪２２、２４に対応する位置に形成された引掛け穴部６２、６４を有する。引掛け面５６は、着脱フレーム１０の引掛け爪２６、２８に対応する位置に形成された引掛け穴部６６、６８を有する。引掛け爪２２、２４、２６、２８は、引掛け穴部６２、６４、６６、６８に挿入されて係止される（引っ掛る）。具体的には、引掛け爪２２、２４、２６、２８が引掛け穴部６２、６４、６６、６８に挿入された状態で、着脱フレーム１０が図１に示すスライド方向（所定方向に該当）にスライドすることにより、引掛け爪２２、２４、２６、２８が引掛け穴部６２、６４、６６、６８に係止される。
【００２７】
第１の実施形態においては、引掛け穴部６２、６６が第１係止穴部に該当し、引掛け穴６４、６８がスライド方向において第１係止穴部から所定間隔離れて設けられた第２係止穴部に該当する。このように、装置筐体５０は、第１係止穴部及び第２係止穴部を２つずつ有し、２つの第１係止穴部及び第２係止穴部は、それぞれスライド方向に直交する方向に沿って設けられている。なお、引掛け穴部６２、６４、６６、６８の詳細形状については、後述する。
【００２８】
また、装置筐体５０は、引掛け爪２２、２４、２６、２８が引掛け穴部６２、６４、６６、６８に係止された際に、着脱フレーム１０の曲げ面１８に合わさる曲げ面６８を有する。曲げ面６８の、ネジ穴３２、３４に対応する位置には、通し穴７２、７４が形成されている。曲げ面１８と曲げ面６８が合わさった状態で、通し穴７２、７４を通過したネジ９２、９４がネジ穴３２、３４と螺合することで、着脱フレーム１０が装置筐体５０に固定される。
【００２９】
（１−２．引掛け穴部の詳細形状）
第１の実施形態に係る引掛け穴部６２、６４、６６、６８の形状は同じであるので、以下では、引掛け穴部６２を例に挙げて、引掛け穴部の詳細形状を説明する。
【００３０】
図２は、引掛け穴部６２の詳細形状を説明するための図である。引掛け穴部６２の幅方向（図２のＸ方向）の大きさは、引掛け爪２２が挿入されやすいように、引掛け爪２２の幅方向の大きさより大きい。また、引掛け穴部６２の長さ方向（図２のＹ方向）の大きさＬ４は、引掛け爪２２の長さ方向の大きさＬ５よりも大きい。引掛け穴部６２は、呼込み部の一例である幅大部６２ａと、係止部の一例である幅小部６２ｂと、ガイド部６２ｃとを有する。
【００３１】
幅大部６２ａは、挿入される引掛け爪２２を呼び込む部分である。幅大部６２ａの幅方向の大きさＬ１は、図２（ａ）に示すように、引掛け穴部６２に挿入される引掛け爪２２を呼び込みやすくするために、引掛け爪２２の幅方向の大きさＬ３よりも十分大きな穴に形成されている。このため、引掛け爪２２が幅大部６２ａに対して多少斜めの状態であっても、引掛け爪２２が引掛け穴部６２に挿入されやすい。
【００３２】
幅小部６２ｂは、引掛け爪２２が係止される部分である。幅小部６２ｂの幅方向の大きさＬ２は、幅大部６２ａの幅方向の大きさＬ１より小さく、かつ引掛け爪２２の幅方向の大きさＬ３よりも僅かに大きい穴である。そして、図２（ｂ）に示すように、幅大部６２ａに挿入された引掛け爪２２が、幅小部６２ｂに向かってスライドし、引掛け爪２２のフック部２２ａが引掛け面５４のフックされることで、図２に示すＸ方向及びＺ方向への移動が規制される。
【００３３】
ガイド部６２ｃは、幅大部６２ａと幅小部６２ｂを繋げて、幅大部６２ａに呼び込まれて挿入された引掛け爪２２を幅小部６２ｂへ向けてガイドする。ガイド部６２ｃの幅方向の大きさは、幅大部６２ａから幅小部６２ｂに向かって、小さくなっている。このような形状のガイド部６２ｃによって、幅大部６２ａに挿入された引掛け爪２２が、幅小部６２ｂにスムーズにスライドする。
【００３４】
引掛け穴部６２、６４、６６、６８が上述した形状を有することにより、着脱フレーム１０の装着時の作業効率が向上することになる。以下において、図３を参照しながら説明する。図３は、着脱フレーム１０の装着時の、引掛け爪２２、２４、２６、２８と引掛け穴部６２、６４、６６、６８の位置関係を示す図である。
【００３５】
作業者は、着脱フレーム１０を装置筐体５０に対して上方から装着させるが、着脱フレーム１０が装置筐体５０に対して斜めにはめこまれることがある。かかる際には、図３に示すように、引掛け爪２２、２４、２６、２８が引掛け穴部６２、６４、６６、６８に対して斜めに位置することがある。
【００３６】
かかる場合でも、引掛け穴部６２、６４、６６、６８の幅大部６２ａ、６４ａ、６６ａ、６８ａによって、引掛け爪２２、２４、２６、２８が呼び込まれて挿入されやすくなる。また、挿入された引掛け爪２２、２４、２６、２８は、ガイド部６２ｃ、６４ｃ、６６ｃ、６８ｃによって、幅小部６２ｂ、６４ｂ、６６ｂ、６８ｂへ向かってスムーズにスライドし、引っ掛ることとなる。このように、引掛け爪２２、２４、２６、２８を引掛け穴部６２、６４、６６、６８に対してピンポイントで挿入する必要が無いので、着脱フレーム１０を装置筐体５０に装着する際の作業効率を向上させることができる。
【００３７】
特に、４つの引掛け爪２２、２４、２６、２８を４つの引掛け穴部６２、６４、６６、６８に同時に挿入させる構成では、幅大部６２ａ、６４ａ、６６ａ、６８ａを設けることで、引掛け爪２２、２４、２６、２８をより効果的に挿入できる。
【００３８】
＜２．第２の実施形態＞
図４及び図５を参照しながら、第２の実施形態に係る自動取引装置１の構成について説明する。図４は、第２の実施形態に係る自動取引装置１の構成を示す斜視図である。図５は、第２の実施形態に係る引掛け穴部１６２、１６４、１６６、１６８と、引掛け爪２２、２４、２６、２８との関係を示す図である。
【００３９】
図４に示す第２の実施形態に係る４つの引掛け穴部１６２、１６４、１６６、１６８のうちの引掛け穴部１６２、１６６の形状は、第１の実施形態の引掛け穴部６２、６６（図１参照）の形状と同じである。一方で、第２の実施形態に係る引掛け穴部１６４、１６８（第２係止穴部に該当）の形状は、第１の実施形態の引掛け穴部６４、６８の形状と異なる。
【００４０】
具体的には、図５に示すように、引掛け穴部１６４、１６８の穴は、引掛け爪２４、２８を呼び込む矩形穴である。ここで、引掛け穴部１６４、１６８の幅方向（図４のＸ方向）の大きさＬ１は、引掛け幅１６２、１６６の幅大部１６２ａ、１６６ａの幅方向の大きさＬ１と同じである。また、引掛け穴部１６４、１６８の長さ方向（図４のＹ方向）の大きさＬ４は、引掛け幅１６２、１６６の長さ方向の大きさＬ４と同じである。このため、引掛け穴部１６４、１６８は、幅方向及び長さ方向において、引掛け爪２４、２８に比べて十分に大きい。
【００４１】
引掛け穴部１６２、１６４、１６６、１６８が上述した形状を有することにより、第１の実施形態と同様に、着脱フレーム１０の装着時の作業効率が向上することになる。すなわち、図５に示すように着脱フレーム１０が装置筐体５０に対して斜めにはめこまれる場合でも、引掛け爪２２、２４、２６、２８が呼び込まれて挿入されやすくなる。また、挿入された引掛け爪２２、２４、２６、２８は、ガイド部１６２ｃ、１６６ｃによって、スムーズにスライドし、引掛け穴部１６２、１６４、１６６、１６８に引っ掛ることとなる。
【００４２】
また、第２の実施形態においては、引掛け穴部１６４、１６８の穴が矩形穴であることにより、着脱フレーム１０の取外し時の作業効率が向上することになる。以下において、図６を参照しながら説明する。図６は、着脱フレーム１０の取外し時の、第１の実施形態に係る引掛け爪２２、２４、２６、２８と引掛け穴部６２、６４、６６、６８の位置関係を示す図である。
【００４３】
着脱フレーム１０を取り外す際に、着脱フレーム１０が装置筐体５０に対して斜めに位置する（傾いている）と、例えば、引掛け爪２４がガイド部６４ｃに引っ掛かり、引掛け爪２８がガイド部６８ｃに引っ掛かる。この場合には、着脱フレーム１０の傾きを調整して再度着脱フレーム１０を取り外す必要があり、着脱フレーム１０の取外し時の作業性が低下する恐れがある。
【００４４】
これに対して、第２の実施形態のように引掛け穴部１６４、１６８の穴を矩形穴とすることにより、引掛け爪２４、２８がガイド部に引っ掛かることが無くなり、着脱フレーム１０を取外しやすくなる。このように、第２の実施形態によれば、着脱フレーム１０の装着時及び取外し時の作業効率を向上させることができる。
【００４５】
＜３．第３の実施形態＞
図７及び図８を参照しながら、第３の実施形態に係る自動取引装置１の構成について説明する。図７は、第３の実施形態に係る自動取引装置１の構成を示す斜視図である。図８は、第３の実施形態に係る引掛け穴部２６２、２６４、２６６、２６８と、引掛け爪２２、２４、２６、２８との関係を示す図である。
【００４６】
図７に示す第３の実施形態に係る４つの引掛け穴部２６２、２６４、２６６、２６８のうちの引掛け穴部２６４、２６８の形状は、第１の実施形態の引掛け穴部６４、６８（図１参照）の形状と同じである。一方で、第３の実施形態に係る引掛け穴部２６２、２６６の形状は、第１の実施形態の引掛け穴部６２、６６の形状と異なる。
【００４７】
具体的には、図８に示すように、引掛け穴部２６２、２６６（第１係止穴部に該当）は、幅大部２６２ａ、２６６ａと、幅小部２６２ｂ、２６６ｂと、ガイド部２６２ｃ、２６６ｃに加えて、第２ガイド部２６２ｄ、２６６ｄを有する。
【００４８】
第２ガイド部２６２ｄ、２６６ｄは、着脱フレーム１０が取り外される際に、引掛け爪２２、２６を引掛け穴部２６２、２６６の幅方向（図８のＸ方向）の中央側に移動するようにガイドする。第２ガイド部２６２ｄ、２６６ｄは、引掛け穴部２６２、２６６の長さ方向（図８のＹ方向）の一端側に形成されている。第２ガイド部２６２、２６６ｄの幅方向の大きさは、長方向の端に向かって小さくなっている。
【００４９】
引掛け穴部２６２、２６４、２６６、２６８が上述した形状を有することにより、第１の実施形態と同様に、着脱フレーム１０の装着時の作業効率が向上することになる。すなわち、図８に示すように着脱フレーム１０が装置筐体５０に対して斜めにはめこまれる場合でも、引掛け爪２２、２４、２６、２８が挿入されやすくなる。また、挿入された引掛け爪２２、２４、２６、２８は、ガイド部２６２ｃ、２６４ｃ、２６６ｃ、２６８ｃによって、スムーズにスライドし、引掛け穴部２６２、２６４、２６６、２６８に引っ掛ることとなる。
【００５０】
また、第３の実施形態においては、第２ガイド部２６２ｄ、２６６ｄを設けたことにより、着脱フレーム１０を取り外す時に、引掛け爪２２、２６を幅方向の中央側に移動し、これに共に、引掛け爪２４、２８も幅方向の中央側に移動する。このため、図６で示した引掛け爪２４、２８がガイド部に引っ掛かることが無くなり、着脱フレーム１０を取外しやすくなる。このように、第３の実施形態によれば、着脱フレーム１０の装着時及び取外し時の作業効率を向上させることができる。
【００５１】
＜４．第４の実施形態＞
図９を参照しながら、第４の実施形態に係る自動取引装置１の構成について説明する。図９は、第４の実施形態に係る引掛け穴部３６２、３６４、３６６、３６８と、引掛け爪２２、２４、２６、２８との関係を示す図である。
【００５２】
第４の実施形態の引掛け穴部３６２、３６４、３６６、３６８は、第２の実施形態と第３の実施形態を組み合わせたものである。すなわち、引掛け穴部３６２、３６６は、第３の実施形態の引掛け穴部２６２、２６６と同様の形状（第２ガイド部を有する）であり、引掛け穴部３６４、３６８は、第２の実施形態の引掛け穴部１６４、１６８と同様の形状（矩形穴）である。
【００５３】
このような引掛け穴部３６２、３６４、３６６、３６８の場合には、着脱フレーム１０を取り外す際に、引掛け爪２２、２４、２６、２８が引掛け穴部３６２、３６４、３６６、３６８に引っ掛かることをより一層有効に防止できる。この結果、着脱フレーム１０の取外し時の作業効率を一層向上させることができる。
【００５４】
ところで、上述した第１〜第４の実施形態においては、引掛け爪と引掛け穴部が４つあることとしたが、これに限定されない。例えば、図１０（ａ）に示すように、２つの引掛け爪２２、２６と、２つの引掛け穴部４６２、４６６のみであっても良い。図１０（ａ）では、引掛け面５４、５６に引掛け穴部が１つずつ設けられているが、引掛け面５４、５６のいずれか一方に２つの引掛け穴部４６２、４６６が設けられても良い。なお、２つの引掛け穴部のうち引掛け穴部４６２が第１係止穴部に該当し、引掛け穴部４６６が第２係止穴部に該当する。
【００５５】
また、図１０（ｂ）に示すように、３つの引掛け爪２２、２４、２８と、３つの引掛け穴部５６２、５６４、５６８であっても良い。さらに、引掛け爪と引掛け穴部が５つ以上であっても良い。図１０は、引掛け穴部の変形例を示す図である。
【００５６】
＜５．まとめ＞
第１〜第４の実施形態で説明したように、装置筐体５０の第１係止穴部（ここでは、図１の係止穴部６２を例に挙げて説明する）は、幅大部６２ａとガイド部６２ｃを有する。ここで、幅大部６２ａは、引掛け爪２２が係止される幅小部６２ｂよりも幅が大きく形成され、挿入される引掛け爪２２を呼び込む。ガイド部６２ｃは、幅小部６２ｂと幅大部６２ａを繋げ、幅大部６２ａに呼び込まれて挿入された引掛け爪２２を幅小部６２ｂへガイドする。
【００５７】
かかる構成によれば、着脱フレーム１０が装置筐体２０に装着される際に、幅大部６２ａによって引掛け爪２２が挿入されやすくなる。また、挿入された引掛け爪２２は、ガイド部６２ｃによって幅小部６２ｂへ向かってガイドされ、幅小部６２ｂに係止される。また、引掛け爪２２がガイドされる際に着脱フレーム１０の装置筐体５０に対する位置も適正な位置に矯正されるので、他の引掛け爪２４、２６、２８も引掛け穴部６４、６６、６８に係止されやすくなる。この結果、引掛け爪２２、２４、２６、２８を引掛け穴部６２、６４、６６、６８に対してピンポイントで挿入する必要が無いので、着脱フレーム１０を装置筐体５０に装着する際の作業効率を向上させることができる。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５９】
上記において、フレーム着脱装置として自動取引装置１を例に挙げて説明したが、これに限定されない。フレーム着脱装置は、装置筐体と着脱フレームを有する装置であれば良く、例えば印刷装置や現金処理装置であっても良い。
【符号の説明】
【００６０】
１        自動取引装置
１０      着脱フレーム
１８      曲げ面
２２、２４、２６、２８    引掛け爪
５０      装置筐体
５４、５６    引掛け面
６２、６４、６６、６８    引掛け穴部
６２ａ、６４ａ、６６ａ、６８ａ    幅大部
６２ｂ、６４ｂ、６６ｂ、６８ｂ    幅小部
６２ｃ、６４ｃ、６６ｃ、６８ｃ    ガイド部
１６２、１６４、１６６、１６８    引掛け穴部
２６２、２６４、２６６、２６８    引掛け穴部
２６２ｄ、２６６ｄ    第２ガイド部
３６２、３６４、３６６、３６８    引掛け穴部
【図１】
0005870602.tif 000002
【図２】
0005870602.tif 000003
【図３】
0005870602.tif 000004
【図４】
0005870602.tif 000005
【図５】
0005870602.tif 000006
【図６】
0005870602.tif 000007
【図７】
0005870602.tif 000008
【図８】
0005870602.tif 000009
【図９】
0005870602.tif 000010
【図１０】
0005870602.tif 000011
【図１１】
0005870602.tif 000012